(57)【特許請求の範囲】
【請求項１】
方形の底面板の相対向する二辺に、それぞれ山折り線を介して側面板が連設され、側面板の外周に、谷折り線を介して縁片が連設され、縁片の左右端に、それぞれ横方向に延びる舌片が設けられ、前記側面板の左右端に、それぞれ山折り線を介して逆三角形状の折り込み接合板が連設され、折り込み接合板の外周には、谷折り線を介して接合縁片が連設され、底面板の他の相対向する二辺に、それぞれ山折り線を介して第２側面板が連設され、第２側面板の外周に、谷折り線を介して第２縁片が連設され、第２縁片の左右端に、それぞれ横方向に延びる第２舌片が設けられ、前記第２側面板の左右端に、それぞれ谷折り線を介して逆三角形状の第２折り込み接合板が連設され、前記折り込み接合板の側面板と連設していない方の端縁と、第２折り込み接合板の第２側面板と連設していない方の端縁とは、山折り線を介して連設されると共に、各側面板を折り曲げてトレー状に組立てた際、縁片、第２縁片、接合縁片がそれぞれ同一平面を形成するように設定されているトレー容器用ブランクであって、各隅角の第２舌片と第２折り込み接合板が接する近傍の第２舌片の端縁に、第２折り込み接合板側に突出する小突起が設けられていることを特徴とするトレー容器用ブランク。
【請求項２】
前記各隅角の側面板と折り込み接合板と舌片とが接する交点を略中心点として半円状の外方に突出する切り欠きが舌片をえぐるように設けられると共に、第２舌片の第２折り込み接合板側に第２折り込み接合板に接する突出部が設けられていることを特徴とする請求項１記載のトレー容器用ブランク。
【発明の詳細な説明】
【０００１】
【発明の属する技術分野】
本発明は、冷凍食品、粉末物等の包装に使用するトレー容器用のブランクに関するものである。
【０００２】
【従来の技術】
従来、例えば、図５に示すような形状をしたブランクを組み立てたトレー容器が冷凍食品等の包装用として使用されている。
【０００３】
このトレー容器に使用されるブランクは、方形の底面板１１の相対向する二辺には、それぞれ山折り線を介して側面板１２、１２が連設され、側面板１２、１２の外周には、谷折り線を介して縁片１３、１３が連設され、縁片１３、１３の両左右端にはそれぞれ横方向に延びる舌片１３１、１３１が設けられ、前記側面板１２、１２の左右端には、それぞれ山折り線を介して逆三角形状の折り込み接合板１２１、１２１が連設され、折り込み接合板１２１、１２１の外周には、谷折り線を介して（縁片１３と同一平面を形成する）接合縁片１２２が連設され、底面板１１の他の相対向する二辺には、それぞれ山折り線を介して第２側面板１４、１４が連設され、第２側面板１４、１４の外周には、谷折り線を介して第２縁片１５、１５が連設され、第２縁片１５、１５の左右端には、それぞれ横方向に延びる第２舌片１５１、１５１が設けられ、前記第２側面板１４、１４の左右端には、それぞれ谷折り線を介して逆三角形状の第２折り込み接合板１４１、１４１が連設され、前記折り込み接合板１２１の端縁と第２折り込み接合板１４１の端縁とは山折り線を介して連設されると共に、各側面板を折り曲げ、第２折り込み接合板１４１の外側と第２側面板１４の外側とを接着させ、縁片１３、第２縁片１５、接合縁片１２２をそれぞれ谷折りして、接合縁片１２２の内側と第２縁片１５の外側を接着し、舌片１３１の内側と第２舌片１５１の外側を接着してトレー状に組立てた際、縁片１３、１３、第２縁片１５、１５、接合縁片１２２、１２２が各々同一平面を形成するように作製されているトレー容器用ブランクである。
【０００４】
【発明が解決しようとする課題】
ところがこのトレー容器用ブランクにおいては、このブランクを容器に成形し、水物等の内容物を充填し蓋板を被せて密封した際、隅角の側面板１２と折り込み接合板１２１と第２折り込み接合板１４１と第２側面板１４との交点で、縁片の舌片１３１と第２縁片の第２舌片１５１が重なる部分（図６で示すＨ）に針の先程度の微細な孔があいて、内容物が水物の場合、液汁が漏れだすという問題がある。
【０００５】
本発明は、トレー容器用ブランクに関する以上のような問題点に着目してなされたもので、粉末や液汁を漏れにくくしたトレー容器用ブランクを提供することを目的とする。
【０００６】
【課題を解決するための手段】
本発明の第１の発明は、図１に示すように、方形の底面板１１の相対向する二辺に、それぞれ山折り線を介して側面板１２、１２が連設され、側面板１２、１２の外周に、谷折り線を介して縁片１３、１３が連設され、縁片１３、１３の左右端に、それぞれ横方向に延びる舌片１３１、１３１が設けられ、前記側面板１２、１２の左右端に、それぞれ山折り線を介して逆三角形状の折り込み接合板１２１、１２１が連設され、折り込み接合板１２１、１２１の外周には、谷折り線を介して接合縁片１２２が連設され、底面板１１の他の相対向する二辺に、それぞれ山折り線を介して第２側面板１４、１４が連設され、第２側面板１４、１４の外周に、谷折り線を介して第２縁片１５、１５が連設され、第２縁片１５、１５の左右端に、それぞれ横方向に延びる第２舌片１５１、１５１が設けられ、前記第２側面板１４、１４の左右端に、それぞれ谷折り線を介して逆三角形状の第２折り込み接合板１４１、１４１が連設され、前記折り込み接合板１２１の側面板１２と連設していない方の端縁と、第２折り込み接合板１４１の第２側面板１４と連設していない方の端縁とは、山折り線を介して連設されると共に、各側面板を折り曲げてトレー状に組立てた際、縁片１３、１３、第２縁片１５、１５、接合縁片１２２、１２２がそれぞれ同一平面を形成するように設定されているトレー容器用ブランクであって、各隅角の第２舌片１５１と第２折り込み接合板１４１が接する近傍の第２舌片の端縁に、第２折り込み接合板側に突出する小突起１５２が設けられていることを特徴とするトレー容器用ブランクである。
【０００７】
折り込み接合板１２１の外周に接合縁片１２２を設けないブランクも可能である。この場合、折り込み接合板と第２折り込み接合板は折り曲げて、各側面板の外側に接着させても、内側に接着させてもいずれの方法を採用することも可能である。
【０００８】
また、第２の発明は、図３に示すように、第１の発明において、前記各隅角の側面板１２と折り込み接合板１２１と舌片１３１とが接する交点を略中心点として半円状の外方に突出する切り欠き１２３が舌片１３１をえぐるように設けられると共に、第２舌片１５１の第２折り込み接合板側に第２折り込み接合板１４１に接する突出部１５３が設けられていることを特徴とするトレー容器用ブランクである。
【０００９】
【作用】
上記のように第１、第２の発明のような側面板と第２側面板が折り込み接合板と第２接合板を介して連続しているトレー容器ブランクにあっては、各隅角の第２舌片と第２折り込み接合板が接する近傍の第２舌片の端縁に、第２折り込み接合板側に突出する小突起が設けられているので、トレーに組立て、蓋材で開口面を封緘した際、トレーの隅角の側面板と第２側面板との交点で、縁片の舌片と第２縁片の第２舌片が重なる部分（Ｈ点）は、小突起により交点が保護され、微細な孔の発生することがなくなる。
【００１０】
また、各隅角の側面板と折り込み接合板と舌片とが接する交点を略中心点として半円状の外方に突出する切り欠きが舌片をえぐるように設けられると共に、第２舌片の第２折り込み接合板側に第２折り込み接合板に接する突出部が設けられていると、容器に組立てた際、半円状の切り欠きが孔を塞ぎ、切り欠きによって生じた孔は突出部が塞ぐので、前記交点Ｈに微細な孔の発生することがなくなる。
【００１１】
【発明の実施の形態】
以下図面に基づいて本発明を詳細に説明する。
〈実施例１〉
図１は、本発明のトレー容器用ブランクの一実施例を示す展開説明図であり、方形の底面板１１の相対向する二辺に、それぞれ山折り線を介して側面板１２、１２が連設され、側面板１２、１２の外周には谷折り線を介して縁片１３、１３が連設されている。
【００１２】
縁片１３、１３の左右端には、それぞれ横方向に延びる舌片１３１、１３１が設けられている。
【００１３】
側面板１２、１２の左右端には、それぞれ山折り線を介して逆三角形状の折り込み接合板１２１、１２１が連設され、折り込み接合板の外周には、谷折り線を介して接合縁片１２２、１２２が連設されている。
接合縁片１２２を設けないブランクとしても構わない（図面は省略する）。
【００１４】
底面板１１の他の相対向する二辺には、それぞれ山折り線を介して第２側面板１４、１４が連設され、第２側面板の外周には谷折り線を介して第２縁片１５、１５が連設されている。
【００１５】
第２縁片１５、１５の左右端には、それぞれ横方向に延びる第２舌片１５１、１５１が設けられ、第２舌片１５１、１５１の第２舌片と第２折り込み接合板が接する近傍の第２舌片の端縁には、第２折り込み接合板側に突出する小突起１５２、１５２が設けられている。
【００１６】
このブランクに使用する材料は、一般的に紙箱用として使用されるコートボール、コートマニラ、アイボリー等の板紙で良いが、収容物が冷凍食品等の水分を多く含むものの場
合には、板紙の少なくとも内面にポリエチレン樹脂を溶融押出し法により塗布したポリエチレン加工紙が好ましく使用できる。トレーに組み立てた時、ポリエチレンが接合に有利であることを考慮すると、ブランクの両面にポリエチレン樹脂等の熱可塑性樹脂が塗布されている加工紙を使用することが望ましい。
【００１７】
ブランクから容器への組立てはつぎのようにして行う。
すなわち、各側面板を折り曲げてトレー状に組立て、先ず、折り込み接合板１２１と第２折り込み接合板１４１の内面同士を接着させる。ついで、接着させた２枚の接合板を第２側面板１４側に折り曲げ、第２側面板と第２折り込み接合板を接着させると共に、縁片１３、第２縁片１５、接合縁片１２２をそれぞれ谷折りして、接合縁片１２２の内側と第２縁片１５の外側を接着させ、舌片１３１の内側と第２舌片１５１の外側を接着させ、トレー容器が組上がる。
【００１８】
第２舌片１５１の第２折り込み接合板側に、突出する小突起１５２を設けたことにより、各隅角のＨ点は小突起１５２によりカバーされ密封性が向上する（図２参照）。
【００１９】
〈実施例２〉
側面板１２と縁片１３を分ける谷折り線と、側面板１２と折り込み接合板１２１を分ける谷折り線と、が交差する点を中心とした半円状の切り欠き１２３を舌片１３をえぐるように作製したことと、第２舌片１５１の第２折り込み接合板側に、第２折り込み接合板１４１の端縁を切り取るような突出部１５３を設けた以外は、実施例１と同様のブランクを作製し実施例２のブランクとした（図３参照）。
【００２０】
このブランクを実施例１と同様にトレー状に組み立てた（詳細な説明は省略する）。
【００２１】
半円状の切り欠き１２３と、第２折り込み接合板１４１の端縁を切り取るような突出部１５３を設けたことにより、半円状の切り欠き１２３が孔（Ｈ点）を塞ぎ、切り欠きによって生じた孔は突出部１５３が塞ぐので、各隅角のＨ点から微細な孔の発生することがない（図４参照）。
【００２２】
【発明の効果】
上記のように本発明のトレー容器用ブランクを用いたトレー容器は、隅角部からのもれが少なくなる。
機械適性やコストは従来使用されているものと変わらない。
【図面の簡単な説明】
【図１】  本発明のトレー容器用ブランクの一実施例を示す展開説明図である。
【図２】  実施例１のブランクを容器に組立て、隅角部分を拡大して示した説明図である。
【図３】  実施例２のトレー容器用ブランクの展開説明図である。
【図４】  実施例２のブランクを容器に組立て、隅角部分を拡大して示した説明図である。
【図５】  従来のトレー容器用ブランクの展開説明図である。
【図６】  従来のトレー容器用ブランクを容器に組立て、隅角部分を拡大して示した説明図である。
【符号の説明】
１１‥‥底面板
１２‥‥側面板
１３‥‥縁片
１４‥‥第２側面板
１５‥‥第２縁片
１２１‥‥折り込み接合板
１２２‥‥接合縁片
１２３‥‥切り欠き
１３１‥‥舌片
１４１‥‥第２折り込み接合板
１５１‥‥第２舌片
１５２‥‥小突起
１５３‥‥突出部
【図１】
0003687396.tif 000002
【図２】
0003687396.tif 000003
【図３】
0003687396.tif 000004
【図４】
0003687396.tif 000005
【図５】
0003687396.tif 000006
【図６】
0003687396.tif 000007